(57)【要約】【課題】歯表面のプラークが紫外線照射によって蛍光反応を生ずることを利用してプラークの除去状況を示す、プラーク表示機能を備えた歯ブラシを提供すること。【解決手段】歯ブラシ構造が歯ブラシヘッド１１と歯ブラシ柄１２を備え、歯ブラシ構造内に設置され、紫外線を発光可能な発光ダイオード１４と、歯ブラシ構造内に設置され、発光ダイオード１４の使用する電力を提供する電池１６と、歯ブラシ構造内に設置され、発光ダイオード１４のオンとオフを制御する回路基板１７と、歯ブラシ構造内に設置され、発光ダイオード１４を放熱させる放熱素子１５と、歯ブラシ構造外に設置され、反射された余分な紫外線を濾過するフィルタレンズ１３とを含む。【選択図】図１
0003201307.tif 000002
【実用新案登録請求の範囲】
【請求項１】
プラーク表示機能を備えた歯ブラシであって、歯ブラシ構造が歯ブラシヘッドと歯ブラシ柄を備え、
前記歯ブラシ構造内に設置され、かつ紫外線を発光可能な少なくとも１つの発光ダイオードと、
前記歯ブラシ構造内に設置され、前記発光ダイオードの使用する電力を提供する電池と、
前記歯ブラシ構造内に設置され、前記発光ダイオードのオンとオフを制御する回路基板と、
前記歯ブラシ構造内に設置され、前記発光ダイオードを放熱させる放熱素子と、
前記歯ブラシ構造外に設置され、反射された余分な紫外線を濾過するフィルタレンズと、
を含むことを特徴とする、プラーク表示機能を備えた歯ブラシ。
【請求項２】
前記歯ブラシヘッドと前記歯ブラシ柄が相互に着脱可能であることを特徴とする、請求項１に記載のプラーク表示機能を備えた歯ブラシ。
【請求項３】
前記発光ダイオードが、前記歯ブラシヘッド、または、前記歯ブラシヘッドと前記歯ブラシ柄との間に設置されることを特徴とする、請求項１に記載のプラーク表示機能を備えた歯ブラシ。
【請求項４】
前記発光ダイオードの発する光が、波長３００〜４００ｎｍの紫外線であることを特徴とする、請求項３に記載のプラーク表示機能を備えた歯ブラシ。
【請求項５】
前記発光ダイオードの外形がドーム型或いは方形であり、前記発光ダイオードは、表面実装型、または、座体を介して歯ブラシヘッドまたは歯ブラシ柄の任意の部位に固定されるか、エポキシ樹脂の材質で前記歯ブラシヘッドまたは前記歯ブラシ柄の部位にパッケージされることを特徴とする、請求項４に記載のプラーク表示機能を備えた歯ブラシ。
【請求項６】
前記歯ブラシが、手動の歯ブラシまたは電動歯ブラシであることを特徴とする、請求項１に記載のプラーク表示機能を備えた歯ブラシ。
【請求項７】
前記フィルタレンズが、波長３００〜４００ｎｍの光を濾過するレンズであることを特徴とする、請求項１に記載のプラーク表示機能を備えた歯ブラシ。
【請求項８】
前記フィルタレンズの色が、黄色または褐色またはオレンジ色または赤色または茶色であることを特徴とする、請求項１に記載のプラーク表示機能を備えた歯ブラシ。
【請求項９】
前記放熱素子が前記歯ブラシヘッドまたは前記歯ブラシ柄、あるいは前記歯ブラシヘッドと前記歯ブラシ柄の両方に設置されることを特徴とする、請求項１に記載のプラーク表示機能を備えた歯ブラシ。
【考案の詳細な説明】
【技術分野】
【０００１】
本考案は、歯ブラシ内に紫外線を発する発光ダイオードを設置して、歯ブラシにプラーク表示機能を具備させた、プラーク表示機能を備えた歯ブラシに関する。
【背景技術】
【０００２】
口腔衛生は人間関係の発展に関わり、かつ一般生活のマナーでもあるため、人々は通常歯ブラシ、デンタルフロス、マウスウォッシュ等で口腔内を清潔にしている。
一般的な従来の手動式歯ブラシまたは電動式歯ブラシは、プラークを除去する効果しかなく、プラークの除去程度を示すことはできなかった。
【考案の概要】
【考案が解決しようとする課題】
【０００３】
本考案が解決しようとする課題は、上述の問題を解決し、歯表面のプラークが紫外線照射によって蛍光反応を生ずることを利用してプラークの除去状況を示す、プラーク表示機能を備えた歯ブラシを提供することにある。
【課題を解決するための手段】
【０００４】
本考案のプラーク表示機能を備えた歯ブラシは、歯ブラシ構造が歯ブラシヘッドと歯ブラシ柄を備え、前記歯ブラシ構造内に設置され、かつ紫外線を発光可能な少なくとも１つの発光ダイオードと、前記歯ブラシ構造内に設置され、前記発光ダイオードの使用する電力を提供する電池と、前記歯ブラシ構造内に設置され、前記発光ダイオードのオンとオフを制御する回路基板と、前記歯ブラシ構造内に設置され、前記発光ダイオードを放熱させる放熱素子と、前記歯ブラシ構造外に設置され、反射された余分な紫外線を濾過するフィルタレンズとを含む。
【０００５】
前記歯ブラシヘッドと前記歯ブラシ柄を相互に着脱可能とするのが望ましい。
前記発光ダイオードが、前記歯ブラシヘッド、または、前記歯ブラシヘッドと前記歯ブラシ柄との間に設置されることがある。
この場合、前記発光ダイオードの発する光は、波長３００〜４００ｎｍの紫外線とするとよい。
前記発光ダイオードの外形がドーム型或いは方形であり、前記発光ダイオードは、表面実装型、または、座体を介して歯ブラシヘッドまたは歯ブラシ柄の任意の部位に固定されるか、エポキシ樹脂の材質で前記歯ブラシヘッドまたは前記歯ブラシ柄の部位にパッケージされることがある。
【０００６】
前記歯ブラシは、手動の歯ブラシであっても電動歯ブラシであってもよい。
前記フィルタレンズが、波長３００〜４００ｎｍの光を濾過するレンズとすることがある。
前記フィルタレンズの色は、黄色または褐色またはオレンジ色または赤色または茶色とすることができる。
前記放熱素子は前記歯ブラシヘッドまたは前記歯ブラシ柄、あるいは前記歯ブラシヘッドと前記歯ブラシ柄の両方に設置してもよい。
【考案の効果】
【０００７】
本考案によれば、発光ダイオードから紫外線を発射させて歯表面に照射し、歯表面のプラークに吸収させることにより蛍光色の反応が現れ、同時に、フィルタレンズによって歯表面から反射される余分な紫外線を濾過し、これにより、使用者が歯表面で蛍光色の反応を示すプラークを観察してプラークの除去状況を容易に知ることができる。
【図面の簡単な説明】
【０００８】
【図１】本考案の実施例を示すプラーク表示機能を備えた歯ブラシの断面図である。
【図２】本考案の実施例を示すプラーク表示機能を備えた歯ブラシの正面図である。
【図３】本考案の実施例を示すプラーク表示機能を備えた歯ブラシの背面図である。
【図４】本考案の実施例を示すプラーク表示機能を備えた歯ブラシの分解正面図である。
【考案を実施するための形態】
【０００９】
以下、本考案の実施例を図面に基づいて詳細に説明する。
図１と図２に示すように、本考案のプラーク表示機能を備えた歯ブラシ１０は、歯ブラシヘッド１１、歯ブラシ柄１２、フィルタレンズ１３、発光ダイオード１４、放熱素子１５、電池１６、回路基板１７、制御スイッチ１８等の部材を含む。
この歯ブラシ１０は、特に電動歯ブラシまたは一般的な歯ブラシに限定されず、歯をきれいにするための手入れ用具である。
【００１０】
歯ブラシ柄１２は、内部に放熱素子１５、電池１６、発光ダイオード１４のオンとオフとを制御する制御回路を備えた回路基板１７が設置される。
放熱素子１５は、歯ブラシ柄１２ではなく歯ブラシヘッド１１に設置されるか、または歯ブラシヘッド１１と歯ブラシ柄１２の両方に設置されることもある。
回路基板１７、発光ダイオード１４及び電池１６は電気的に接続されると共に、回路基板１７上に制御スイッチ１８が設置される。
使用者は制御スイッチ１８を操作して、回路基板１７の制御回路を駆動し、発光ダイオード１４に前記制御回路から送信される制御信号を受信させ、使用者が歯磨きを行うと同時に、発光ダイオード１４から波長が３００ｎｍ〜４００ｎｍの紫外線波長帯の光線を使用者の歯表面に発射させる。これにより、歯表面のプラークに紫外線光線の照射を吸収させ、蛍光色の反射光を誘発させることで、使用者はミラーを介してプラークの存在を容易に観察することができる。
【００１１】
本実施例において、発光ダイオード１４は、発光波長が３００〜４００ｎｍの紫外線を発する発光素子であり、主に歯ブラシヘッド１１の底部または歯ブラシヘッド１１と歯ブラシ柄１２の間に設置される。発光ダイオード１４は、外形がドーム型或いは方形であり、表面実装型、または別途特別設計された座体（図示しない）を介して歯ブラシヘッド１１または歯ブラシ柄１２の任意の部位（例えば図２参照）に固定される。また、発光ダイオード１４は、エポキシ樹脂の材質により歯ブラシヘッド１１または歯ブラシ柄１２の任意の部位にパッケージすることもできる。
【００１２】
図３に示すように、歯ブラシ１０の歯ブラシヘッド１１と歯ブラシ柄１２とに亘る部分の背面に少なくとも１つのフィルタレンズ１３（図３参照）が設置される。フィルタレンズ１３は波長が３００〜４００ｎｍの範囲の紫外線を濾過できるレンズであり、フィルタレンズ１３の色は、黄色または褐色またはオレンジ色または赤色または茶色とし、使用者が簡単に歯表面上で蛍光色反応を示すプラークを識別することができ、紫外線光以外の照射下で歯表面に発生する強烈な反射を解決し、プラーク表示機能を備えた歯ブラシを得ることができる。
【００１３】
図４に示すように、本考案の歯ブラシ１０は着脱・交換可能な設計とすることができる。即ち、歯ブラシ１０は、歯ブラシヘッド１１、歯ブラシ柄１２、フィルタレンズ１３に分解でき、三者いずれも相互に着脱・交換が可能で、発光ダイオード１４を歯ブラシ柄１２側に設置し、これにより、歯ブラシヘッド１１を一定期間使用した後、取り外して交換し、衛生面の要求に対応することができる。
【００１４】
以上は、本考案の実施例の説明であって、本考案の権利範囲を限定するものではなく、本考案の実用新案登録請求の範囲を逸脱しない変更や修飾はいずれも本考案の権利範囲に含まれる。
【符号の説明】
【００１５】
１０      歯ブラシ
１１      歯ブラシヘッド
１２      歯ブラシ柄
１３      フィルタレンズ
１４      発光ダイオード
１５      放熱素子
１６      電池
１７      回路基板
１８      制御スイッチ
【図１】
0003201307.tif 000003
【図２】
0003201307.tif 000004
【図３】
0003201307.tif 000005
【図４】
0003201307.tif 000006